(57)【要約】【課題】  鎌片の収納部の浸水を確実に防ぐ防水構造として、寒冷地等においても、水の凍結などによって鎌片の動作が阻害されることないようにした鎌錠を提案すること。【解決手段】  扉の錠面３４から出没させるデッドボルト３１には、天井面４２ａと左右側面４２ｂ、４２ｃとで形成した底面開放の収容部４２を設け、前記収容部４２の天井面４２ａには、その先端側部に設けた第１窓孔４２ｄとその後端側部に設けた第２窓孔４２ｅとを形成し、鎌片４１を前記収容部４２内に可動可能に軸支してその鎌状の突起部４１ａを前記第１窓孔４２ｄより、そのトリガー片部４１ｂを前記第２窓孔４２ｅより各々突出自在とし、前記デッドボルト３１の施錠位置への移動に連動し、前記鎌片４１のトリガー片部４１ｂを駆動し、その突起部４１ａを非係止位置から係止位置に回動させる構成としてある。【選択図】  図１
2014125785.tif 000002
【特許請求の範囲】
【請求項１】
扉の錠面から出没するデッドボルトと、当該デッドボルトの先端寄り領域部に回動可能に軸支した鎌片とを有し、前記デッドボルトの施錠位置への移動に連動し、前記鎌片を非係止位置から係止位置に回動させる構成の鎌錠において、
前記したデッドボルトの先端寄り領域部には、天井面と側面とで形成した底面開放の収容部を設け、
前記鎌片を前記収容部内に回動可能に軸支したことを特徴とする鎌錠。
【請求項２】
請求項１に記載した鎌錠において、
前記鎌片には、先端部に上向きとした鎌状の突起部を、後端部に上向きに突出させた駆動突部を各々設け、    
前記収容部の天井面には、その先端側部に設けた第１窓孔とその後端側部に設けた第２窓孔とを形成し、
前記鎌片を前記収容部内に回動可能に軸支してその突起部を前記第１窓孔より、その駆動突部を前記第２窓孔より各々突出自在とし、
前記デッドボルトの施錠位置への移動に連動し、前記鎌片の駆動突部を駆動し、その突起部を非係止位置から係止位置に回動させる構成としたことを特徴とする鎌錠。
【請求項３】
請求項２に記載した鎌錠において、
前記収容部の天井面に設けた第１窓孔と第２窓孔との間の距離は、前記デッドボルトが施錠位置に移動したとき、扉の錠面と扉枠の戸先面との間の距離に比べて大きく設定されていることを特徴とる鎌錠。
【請求項４】
請求項１または２に記載した鎌錠において、
前記デッドボルトは、一つの板材を折り曲げ加工して形成したことを特徴とする鎌錠。
【発明の詳細な説明】
【技術分野】
【０００１】
本発明は、扉の錠面から出没するデッドボルトに鎌片を取り付けた鎌錠に関する。
【背景技術】
【０００２】
扉に取り付けられる施錠装置には、サムターンまたはキーシリンダの操作によって錠面からデッドボルトを出没させ、突出したデッドボルトを扉枠に取り付けられたストライクの係止孔に係合させる本締錠と、ドアノブやドアハンドルの操作によってラッチボルトを出没させ、突出したラッチボルトをストライクの係止孔に突入させる仮締用のラッチ錠とを備えた錠装置が広く知られている。
【０００３】
ところで近年では、扉と扉枠との間にバール等を差し込んで強引に破錠するような犯罪が増加してきたので、これを防止すべく、デッドボルトに鎌片を組込んだ鎌錠（鎌型デッドボルト付き本締錠）が提案されている。
【０００４】
図８は、この種の鎌錠を備えた錠装置の内部構成を示した図である。
なお、この図は錠装置の鎌錠が解錠している状態を示している。
図示する如く、上記の錠装置は、デッドボルト１１を有する鎌錠（本締錠）１０と、ドアハンドルの押し引き操作によって錠面から出没するラッチボルト１２を有するラッチ錠（仮締錠）とを備えている。
【０００５】
錠装置の鎌錠１０は、キーシリンダまたはサムターンの施解錠操作に連動して回動する回転部材１３を備えると共に、この回転部材１３の駆動腕１３ａがデッドボルト１１の凹形部１１ａに係合している。
したがって、回転部材１３の回転による駆動腕１３ａの旋回動に押動されてデッドボルト１１が横方向に移動する。
すなわち、図示状態で施錠操作すれば、回転部材１３が時計方向に回転し、デッドボルト１１がその駆動腕１３ａによって進出移動され、図９に示すように、デッドボルト１１の先端部が錠面１４から突出し、ストライク１５の係止穴１５ａ内に突入し、施錠状態となる。
【０００６】
また、上記のデッドボルト１１の先端側にはフック状の鎌片１６が支軸１７によって回転可能に軸支されており、この鎌片１６がデッドボルト１１の進出移動に連動して旋回する。
つまり、鎌片１６のトリガー片部（駆動片部）１６ｂがデッドボルト１１の進出移動で、装置ケース１８の前面内壁１８ａに当接するため、鎌片１６が支軸１７を支点に回転し、その突起部（鎌状突起部）１６ａが回転して上昇する。
このように施錠した状態では、扉と扉枠との間にバール等を差し込んで強引に破綻し、扉を開放しようとすれば、鎌片１６の突起部１６ａが係止穴１５ａの穴縁に係止されるため破綻されることがない。
【０００７】
一方、上記した鎌錠１０では、扉の洗浄水や雨水がデッドボルト１１や鎌片１６に付着して凍結することによって生じる施解錠の障害を解決する構成となっており、図１０、図１１に示したように、デッドボルト１１の先端側領域部１１ｂに凹溝１９を設け、この凹溝１９内に鎌片１６が支軸１７によって回転可能に軸支させてある。
【０００８】
この凹溝１９は、デッドボルト１１の先端側となる一方面（図中左面）と上面とが開放し、他方面（図中右面）が壁面１９ａ、底面が傾斜面１９ｂとなっており、さらに、底面の一部には水抜き孔１９ｃが形成されている。
また、鎌片１６と支軸１７との間には、フランジ付きのリング２０を設けることで、鎌片１６と凹溝１９の側壁との間に間隔ｄを設けるようになっている。
【０００９】
上記した錠装置によれば、錠面１４などに結露して生じた水がデッドボルト１１の凹溝１９内に浸入したとしても、この水は水抜き孔１９ｃから流れ出るから、寒冷地等においても凹溝１９内に水が凍結することがなく、水の凍結によって鎌片１６の動作が阻害されたり、また、デッドボルト１１が水分によって錆付くようなことも解決されている。
また、間隔ｄを設けることで鎌片１６と凹溝１９の側壁との間に水が滞留しないため、支軸１７の周辺での水の凍結や錆の発生が防止される。
【先行技術文献】
【特許文献】
【００１０】
【特許文献１】特許第４１３７９０５号公報
【発明の概要】
【発明が解決しようとする課題】
【００１１】
上記した錠装置の鎌錠１０は、デッドボルト１１に設けて凹溝１９に鎌片１６を軸支した構成となっているが、しかしながら、この凹溝１９が上面開放の流水構造となっており、防水構造となっていないために、雨水等がどうしても入りやすく、水抜き孔１９ｃがあっても、水の排出が不十分となり、凹溝１９の内面に多くの水が付着した状態となる。
その上、上面が開放した凹溝１９は、塵などが入り易いため、凹溝１９の内面に付着している水によってこれらの塵も付着することになる。
この結果、水の凍結や塵などの付着によって鎌片１９の動作が阻害されることがある。
【００１２】
他方、上記した鎌錠１０の場合、凹溝１９の底面を傾斜面１９ｂとしたり、水抜き孔１９ｃを形成したりする必要があるため、この凹溝１９の構成が複雑となる他、支軸１７にはフランジ付きのリング２０を設けているため、部品の増加ともなっている。
【００１３】
そこで、本発明では、鎌片の収納部の浸水を確実に防ぐ防水構造を可能なるかぎり簡単な構成とし、寒冷地等においても、水の凍結などによって鎌片の動作が阻害されることないようにした鎌錠を提案することを目的とする。
【課題を解決するための手段】
【００１４】
上記した目的を達成するため、本発明は第１の発明として、扉の錠面から出没するデッドボルトと、当該デッドボルトの先端寄り領域部に回動可能に軸支した鎌片とを有し、前記デッドボルトの施錠位置への移動に連動し、前記鎌片を非係止位置から係止位置に回動させる構成の鎌錠において、前記したデッドボルトの先端寄り領域部には、天井面と側面とで形成した底面開放の収容部を設け、前記鎌片を前記収容部内に回動可能に軸支したことを特徴とする鎌錠を提案する。
【００１５】
第２の発明としては、上記した第１の発明の鎌錠において、前記鎌片には、先端部に上向きとした鎌状の突起部を、後端部に上向きに突出させた駆動突部を各々設け、前記収容部の天井面には、その先端側部に設けた第１窓孔とその後端側部に設けた第２窓孔とを形成し、前記鎌片を前記収容部内に回動可能に軸支してその突起部を前記第１窓孔より、その駆動突部を前記第２窓孔より各々突出自在とし、前記デッドボルトの施錠位置への移動に連動し、前記鎌片の駆動突部を駆動し、その突起部を非係止位置から係止位置に回動させる構成としたことを特徴とする鎌錠を提案する。
【００１６】
なお、上記第２発明の鎌錠において、収容部の天井面に設けた第１窓孔と第２窓孔との間の距離は、前記デッドボルトが施錠位置に移動したとき、扉の錠面と扉枠の戸先面との間の距離に比べて大きく設定することが好ましく、また、上記したデッドボルトについては、一つの板材を折り曲げ加工して形成することができる。
【発明の効果】
【００１７】
本発明の鎌錠では、底面を開放させて天井面を設けた防水構造の収容部をデッドボルトに形成し、この収容部内に鎌片を可動可能に軸支した構成としてある。
したがって、扉の洗浄水や雨水或いは錠面に結露した水分等は、収容部の天井面によって確実に遮蔽されるから、収容部内に浸水することがなく、この結果、寒冷地などにおいても、水の凍結によって鎌片の動作が阻止されるようなことがない。
【００１８】
また、収容部内面に水分が付着しないので、塵などが付着した水分によって収容部内面に付き、鎌片の動作を妨害することもない。
さらに、デッドボルトには、底面を開放させて天井面を設けた収容部を形成して鎌片を軸着するので、構成が複雑化せず、構成部品も増加しない。
【図面の簡単な説明】
【００１９】
【図１】本発明の一実施形態の鎌錠を備える錠装置の内部構造を示した図である。
【図２】上記した鎌錠の施錠動作を示した部分図である
【図３】図３（Ａ）は上記した鎌錠のデッドボルトの平面図、図３（Ｂ）は同デッドボルトの正面図である。
【図４】図４（Ａ）は上記したデッドボルトの左側面図、図４（Ｂ）は図３（Ｂ）上のＡ−Ａ線断面図である。
【図５】図３（Ｂ）上のＢ―Ｂ線断面図である。
【図６】図６（Ａ）は鎌片の側面図、図６（Ｂ）は鎌片の正面図である。
【図７】上記したデッドボルトに鎌片を取付けた状態を示す断面図である。
【図８】鎌錠を備える従来の錠装置の内部構造を示した図である。
【図９】従来の錠装置が備える鎌錠の施錠動作を示した部分図である。
【図１０】従来の錠装置が備える鎌錠のデッドボルトを示す断面図で、図１１上のＤ−Ｄ線断面図である。
【図１１】従来の錠装置が備える鎌錠のデッドボルトを示す断面図で、図１０上のＣ−Ｃ線断面図である。
【発明を実施するための形態】
【００２０】
次に、本発明に係わる鎌錠の一実施形態について図面に沿って説明する。
図１は、本発明に係わる鎌錠３０を備えた錠装置の内部構成を示した図であり、この錠装置は、デッドボルト３１を有する鎌錠３０（本締錠）と、ラッチボルト３２を有するラッチ錠（仮締錠）とを備えている。
なお、本発明は鎌錠に特徴があるので、本実施形態では本締錠である鎌錠３０について主に説明するが、ラッチ錠は、ハンドル操作に従ってラッチのロックを解除する公知構成のものとなっている。
【００２１】
鎌錠３０は、装置ケース３３内にデッドボルト３１を備え、このデッドボルト３１がサムターンまたはキーシリンダの操作によって扉の錠面３４から出没して施解錠する。
そのため、装置ケース３３内には、サムターンまたはキーシリンダの操作によって回転する回転部材３５を設けると共に、その駆動腕３５ａをデッドボルト３１の凹形部３１ａに係合させてある。
【００２２】
すなわち、回転部材３５が時計方向に回転すれば、駆動腕３５ａが凹形部３１ａの一方側部を押動してデッドボルト３１を進出移動させ、また、その反対に、回転部材３５が反時計方向に回転すれば、その駆動腕３５ａが凹形部３１ａの他方側部を押してデッドボルト３１を後退移動させる。
【００２３】
したがって、図１に示す鎌錠３０の解錠状態で、サムターンまたはキーシリンダを施錠操作すれば、回転部材３５が時計方向に回転し、その駆動部３５ａに駆動されたデッドボルト３１が進出移動（図１において左方向移動）する。
これより、デッドボルト３１の先端側が錠面３４より突出し、図２に示すように、デッドボルト３１の先端部が扉枠に設けたストライク３６の係止穴３６ａに進入し施錠動作となる。
【００２４】
また、上記の施錠動作時には、回転部材３５の回転終期においてその駆動腕３５ａが、リリーサー３７のカム部３７ａを押し回し、リリーサー３７を少ない範囲で反時計方向に回転させる。
したがって、リリーサー３７の押動部３７ｂによって下方に押動されていたストッパー３８がバネ勢力で浮動し、その先端部３８ａによってデッドボルト３１の係止凸部３１ｂを係止するようになる。
上記したストッパー３８は、施錠状態にあるデッドボルト３１をバール等によって直接に後退させて解除しようとする不正行為を防ぐもので、ストッパー３８の先端部３８ａで係止凸部３１ｂを係止してデッドボルト３１の後退移動を防止するものである。
【００２５】
なお、上記したリリーサー３７は、デッドボルト３１に形成したガイド孔３１ｃに軸挿した軸部３９に回動可能に軸支してあり、また、上記したストッパー３８は、その一端部を装置ケース３３に設けた軸部４０に回動可能に軸支し、バネ勢力でリリーサー３７の押動部３７ｂに圧接させてある。
【００２６】
上記の施錠状態でサムターンまたはキーシリンダを解錠操作すれば、回転部材３５が反時計方向に回転し、その駆動腕３５ａに連動されたデッドボルト３１が後退移動（図１において右方向移動）し、その先端部が係止穴３６ａから抜け出て図１に示す解錠状態となる。
【００２７】
なお、解錠動作する場合は、回転部材３５の回転初期（反時計方向回転）で、その駆動部３５ａがリリーサー３７のカム部３７ａを押動するため、リリーサー３７が右回転し、その押動部３７ｂによってストッパー３８が反時計方向に押動される。
したがって、ストッパー３８の先端部３８ａがデッドボルト３１の係合凸部３１ｂの係止を解き、デッドボルト３１の後退移動を許容する。
【００２８】
続いて、本発明の特徴となっているデッドボルト３１と鎌片４１について説明する。
本実施形態のデッドボルト３１は、図３及び図４に示す如く、１枚の金属板を折り曲げ形成したもので、先端側の領域部（先端側の略過半部）３１ｄが逆Ｕ字型の断面形状となっており、後端側の領域部３１ｅが重合板部として構成してある。
すなわち、先端側の領域部３１ｄには、逆Ｕ字型の上面に当たる天井面４２ａとその逆Ｕ字型の脚部に当たる左右側面４２ｂ、４２ｃとによって収容部４２を形成し、この収容部４２内に鎌片４１が軸支してある。
なお、上記の収容部４２の底面４２ｆと先端面４２ｇとは開放している。
【００２９】
また、上記の収容部４２には、天井面４２ａの先端側と後端側とに第１、第２窓孔４２ｄ、４２ｅを形成し、下記するように、鎌片４１の鎌状の突起部４１ａを第１窓孔４２ｄより突出可能とし、鎌片４１のトリガー片部（駆動突部）４１ｂを第２窓孔から突出可能としてある。（図６、図７参照）  
なお、これらの図において、４３は鎌片４１を軸支する支持孔、４４は後端側の領域部３１ｅの重合板部を固定する固定部である。
【００３０】
デッドボルト３１の後端側の領域部３１ｅを形成する重合板部に設けた固定部４４は、図５に示した如く、デッドボルト３１の一方の板部３１ｆに設けた凸形部４４ａを、その他方の板部３１gに設けた係止孔４４ｂに突入させ、さらに、凸形部４４ａの先端部４４ｃを係止孔４４ｂのすりばち状部４４ｄでカシメ止めし、一方の板部３１ｆと他方の板部３１ｇとを重合させて固定する構成としてある。
【００３１】
図６は、上記鎌片４１を示し、図示する如く、この鎌片４１は先端側に鎌状の突起部４１ａを設け、後端側にトリガー片部（駆動突部）４１ｂを設けたフック状のもので、トリガー片部４１ｂの下方部所には軸支孔４１ｃが形成してある。
また、上記した突起部４１ａとトリガー片部４１ｂについては、所定の角度を設けて上方向に突出させてある。
なお、この図面では、一体形成の鎌片４１を示したが、厚さの薄い板材を用いて複数枚の同形の鎌状板を形成し、これら複数枚の鎌錠板を重合させても同様の鎌片を形成することができる。
【００３２】
上記した鎌片４１は、図７に示したように、その軸支孔４１ｃとデッドボルト３１の支持孔４３に連通させた支軸４６によって、デッドボルト３１の収容部４２内に回転可能に取り付けてある。
【００３３】
このように取り付けた鎌片４１は、支軸４６より先端側が重くなるため、デッドボルト３１が解錠位置にあるときは、実線図示の如く反時計方向の旋回力を受け、その背後部４１ｄが収容部４２の壁面４２ｈに当接した状態となる。
すなわち、解錠状態では、突起部４１ａが第１窓孔４２ｄから収納部４２内に没入し、トリガー片部４１ｂが第２窓孔４２ｅから斜め上方に突出している。
【００３４】
他方、施錠動作にしたがってデッドボルト３１が進出移動すると、図２に示すように、鎌片４１のトリガー片部４１ｂが装置ケース３３の内壁面３３ａに当たって押し戻されるため、鎌片４１が、図７の点線図示の如く、支軸４６を支点に時計方向に回転する。
【００３５】
つまり、図２に示すように、デッドボルト１１の先端部が係止孔３６ａ内に突入すると共に、鎌片４１が回転し、その鎌状の突起部４１ａが上方に回転して施錠状態となる。
なお、収容部４２の天井面４２ａに第１、第２窓孔４２ｄ、４２ｅを形成する場合には、天井面４２ａの広さは、図２より分かる如く、少なくとも扉の錠面３４とストライク３６の表面（戸先面）との間を架橋する広さにとすることが好ましい。
【００３６】
上記した通り、本実施形態の錠装置によれば、デッドボルト３１に鎌片４１を設けているので、扉と扉枠との間にバール等を差し込んで強引に破錠しようとしても、鎌片４１の鎌状の突起部４１ａが係止孔３６ａの孔縁に係止されるため、このような不正行為の破錠を未然に防ぐことができ、また、施錠状態では、デッドボルト３１の後退移動がストッパー３８によって阻止されるので、バール等の器具を使ってデッドボルト３１を後退移動させる不正解錠行為についても防止される。
【００３７】
また、特に、本実施形態の錠装置に備えた鎌錠３０は、天井面４２ａと左右側面４２ｂ、４２ｃを設け、底面４２ｆと先端面４２ｇとを開放させて防水構造とした収容部４２をデッドボルト３１に形成し、この収容部４２内に鎌片４１を取付けたので、洗浄水や雨水などは天井面４２ａによって遮蔽されるので、収容部４２内に入ることがなく、また、錠面３４やストライク３６などに結露した水分は同様に天井面４２ａによって遮蔽されるから収容部４２内に入ることがない。
【００３８】
このことから、寒冷地においても収容部４２には水の凍結が発生しないので、鎌片４１の回転動作が水の凍結によって阻害されると言うようなことがない。
さらに、塵などについても天井面４２ａによって遮蔽されるので、収容部４２の内面に塵などが付着することもない。
【００３９】
以上、本発明の一実施形態について説明したが、デッドボルト３１に設けた収容部４２の先端部４２ｇは閉塞面としてもよい。
この場合、鎌片４１の鎌状突起部４１ａがその閉塞面に突き当たらないようにして、第１窓孔４２ｄから突出する構成とする。
また、本発明は、ラッチ錠を備えない錠装置の鎌錠としても同様に実施することができる。
【産業上の利用可能性】
【００４０】
扉の錠装置に備える鎌錠に適する。
【符号の説明】
【００４１】
３０  鎌錠
３１  デッドボルト
３１ｄ  先端側の領域部
３３  装置ケース
３３ａ  内壁面
３４  錠面
３６  ストライク
３６ａ  係止穴
４１  鎌片
４１ａ  鎌状の突起部
４１ｂ  トリガー片部
４２  収容部
４２ａ  天井面
４２ｂ、４２ｃ  左右側面
４２ｄ  第１窓孔
４２ｅ  第２窓孔
４２ｆ  底面
４６  支軸
【図１】
2014125785.tif 000003
【図２】
2014125785.tif 000004
【図３】
2014125785.tif 000005
【図４】
2014125785.tif 000006
【図５】
2014125785.tif 000007
【図６】
2014125785.tif 000008
【図７】
2014125785.tif 000009
【図８】
2014125785.tif 000010
【図９】
2014125785.tif 000011
【図１０】
2014125785.tif 000012
【図１１】
2014125785.tif 000013